(57)【要約】      （修正有）【課題】連結装置を容易に接続結合することができる連結具を提供する。【解決手段】連結装置１の突き合わせ接合部材１１に適用し、１つ以上の本体２１を間隔を置いて設置し、各本体内に螺子を挿入させる歯孔貫通設置し、且つ各本体２１の外部は、接続部材１１を利用し、相互に接続し、複数の本体の歯孔方向を固定し、連結具２の２つの本体２１を同時に突き合わせ接合部材１１中に挿入させ、直接角度を対応定位し、螺子を合わせて定位を固定接合し、組み立て効率を大幅に向上し、螺子が緩むことを回避し、使用者の使用により便利である。【選択図】図５
0003179970.tif 000002
【実用新案登録請求の範囲】
【請求項１】
１つ以上の本体を間隔を置いて設置し、各本体内に螺子を挿入させることに用いる歯孔を貫通設置し、且つ各本体の外部は、接続部材を利用し、相互に接続し、各本体の歯孔方向を固定する連結具。
【請求項２】
前記歯孔前端に螺子挿入を誘導することに用いる前拡孔を有する請求項１に記載の連結具。
【請求項３】
前記前拡孔は、歯孔に接近する側から本体側表面に徐々に広がる請求項２に記載の連結具。
【請求項４】
前記歯孔後端に螺子が貫通することを防止することに用いる縮頚を有する請求項１に記載の連結具。
【考案の詳細な説明】
【技術分野】
【０００１】
本考案は、連結具に関し、特に、連結装置を容易に接続結合することができる連結具に関する。
【背景技術】
【０００２】
ＤＩＹ風潮の流行に伴い、人々は、組み立て部品を購入し自身で組み立てることに対し、試みることを望み、自己の要求に応じて製作できるだけでなく、更に金銭を節減でき、図１〜図４を参照し、図から分かるように、現在の市場の組み立て部品は、突き合わせ接合部材Ａ及び接続部材Ｂを有し、突き合わせ接合部材Ａの２つの隣り合う帆油面にそれぞれ突き合わせ接合孔Ａ１及び貫通孔Ａ２を設置し、且つ突き合わせ接合孔Ａ１及び貫通孔Ａ２が突き合わせ接合部材Ａ内に連通し、接続部材Ｂは、接続孔Ｂ１を設置し、接続部材Ｂが突き合わせ接合部材Ａと接続する時、先ず、歯孔Ｃ１を有する固定部材Ｃを貫通孔Ａ２内に塞入し、接続部材bの接続孔Ｂ１を突き合わせ接合部材Ａの突き合わせ接合孔Ａ１に対応させ、続いて、螺子Ｄを利用し、接続孔Ｂ１により固定部材Ｃの歯孔Ｃ１内に挿入固定し、固定を形成するが、この種の方法は、以下の欠陥を有する：
（一） 固定部材Ｃが貫通孔Ａ２に塞入した後、先に歯孔Ｃ１を突き合わせ接合孔Ａ１に対応させ、螺子Ｄを貫通孔Ａ２に挿入させた後、歯孔Ｃ１内に挿入固定でき、歯孔Ｃ１が突き合わせ接合孔１Ａに対応されていない時、手動工具（図示せず）を利用し、固定部材Ｃ端部の位置制限溝Ｃ２に連結し、固定部材Ｃを転動し、更に、歯孔Ｃ１を突き合わせ接合孔Ａ１に対応させる必要があり、組み立て使用に不便となっている。
（二） 使用者が螺子Ｄを固定する時、螺子Ｄ末端が往々にして使用者の過度な締結、又は螺子Ｄが過度に長いことにより歯孔Ｃ１を通過し、突き合わせ接合部材Ａを破壊する。
【０００３】
従って、従来技術の不足及び欠陥を如何に解決するかが、本業界に従事する者が改善を欲する課題となっている。
【先行技術文献】
【特許文献】
【０００４】
【特許文献１】特開２００２−３０９６９４号公報
【考案の概要】
【考案が解決しようとする課題】
【０００５】
本考案の主要目的は、連結具が接続部材を利用し、複数の本体を接続し、各本体の歯孔方向を固定し、連結具の２つの本体を同時に突き合わせ接合部材中に挿入させ、直接角度を対応定位し、螺子を合わせて定位を固定接合し、組み立て効率を大幅に向上し、螺子が緩むことを回避し、使用者の使用により便利であるようにすることである。
【課題を解決するための手段】
【０００６】
上記の目的を達成するため、本考案の連結具は、１つ以上の本体を間隔を置いて設置し、各本体内に螺子を挿入させることに用いる歯孔を貫通設置し、且つ各本体の外部は、接続部材を利用して相互に接続し、各本体の歯孔方向を固定する。
本考案は下記の特徴を有する。
（１）１つ以上の本体を間隔を置いて設置し、各本体内に螺子を挿入させることに用いる歯孔を貫通設置し、且つ各本体の外部は、接続部材を利用し、相互に接続し、各本体の歯孔方向を固定する連結具。
（２）前記歯孔前端に螺子挿入を誘導することに用いる前拡孔を有する（１）に記載の連結具。
（３）前記前拡孔は、歯孔に接近する側から本体側表面に徐々に広がる（２）に記載の連結具。
（４）前記歯孔後端に螺子が貫通することを防止することに用いる縮頚を有する（１）に記載の連結具。
【考案の効果】
【０００７】
本考案の連結具は、連結装置の突き合わせ接合部材に適用し、１つ以上の本体を間隔を置いて設置し、各本体内に螺子を挿入させる歯孔貫通設置し、且つ各本体の外部は、接続部材を利用し、相互に接続し、複数の本体の歯孔方向を固定し、連結具の２つの本体を同時に突き合わせ接合部材中に挿入させ、直接角度を対応定位し、螺子を合わせて定位を固定接合し、組み立て効率を大幅に向上し、螺子が緩むことを回避し、使用者の使用により便利である。
【図面の簡単な説明】
【０００８】
【図１】従来の組み立て部品の立体外観図である。
【図２】従来の組み立て部品の局部立体外観図である。
【図３】従来の組み立て部品の局部立体分解図である。
【図４】従来の組み立て部品の局部断面図である。
【図５】本考案の立体外観図である。
【図６】本考案の立体分解図である。
【図７】本考案の連結具の立体外観図である。
【図８】本考案の正面断面図である。
【図９】図８の局部拡大図である。
【図１０】本考案の側面断面図である。
【考案を実施するための形態】
【０００９】
本考案が上記目的を達成する為に採用する技術手段及びその効果について、実施例を挙げ、図面に合わせて以下に説明する。
【００１０】
図５〜図７及び図９を参照し、図から分かるように、本考案は、連結装置１及び連結具２を含有し、そのうち、
該連結装置１は、突き合わせ接合部材１１及び接続部材１２を有し、突き合わせ接合部材１１の２つの隣り合う側表面にそれぞれ突き合わせ接合孔１１１及び貫通孔１１２を設置し、且つ突き合わせ接合孔１１１及び貫通孔１１２は、突き合わせ接合部材１１内に連通を形成し、接続部材１２の２つの相対する表面は、それぞれ接続孔１２１及び位置制限孔１２２を設置し、位置制限孔１２２は、接続孔１２１と連通を形成する。
【００１１】
該連結具２は、１つ以上の本体２１を間隔を置いて設置し、各本体２１内に歯孔２３を貫通設置し、歯孔２３前端に前拡孔２４を有し、前拡孔２４は、歯孔２３に近接する側から本体２１側表面に向けて徐々に広がり、且つ歯孔２３後端に縮頚２５を有し、縮頚２５の内径は、歯孔２３の内径より小さく、複数の本体２１の外部は、接続部材２２を利用し、相互に接続し、各本体２１の歯孔２３方向を固定する。
【００１２】
図６及び図８〜図１０を参照し、使用者が連結装置１を組み合わせる時、先ず、連結具２の２つの本体２１を突き合わせ接合部材１１の貫通孔１１２内に塞入し、複数の本体２１が接続部材２２の制限を受けることにより、各本体２１の歯孔２３の方向を固定方向とし、本体２１を貫通孔１１２に塞入した後、歯孔２３は、突き合わせ接合孔１１１に対応することができ、続いて、接続部材１２を突き合わせ接合部材１１に接近させ、接続部材１２の接続孔１２１を突き合わせ接合部材１１の突き合わせ接合孔１１１に対応させ、更に、螺子２６を利用し、接続部材１２の位置制限孔１２２から挿入し、順に接続部材１２の接続孔１２１及び突き合わせ接合部材１１の突き合わせ接合孔１１１を経由し、末端は、歯孔２３内に固定し、螺子２６頭部及び本体２１の間の距離を短縮し、突き合わせ接合部材１１及び接続部材１２を固定し、歯孔２３の縮頚２５が螺子２６に確実に噛み合い、緩み防止の効果を達成する。
【００１３】
更に、本体２１の歯孔２３前端が徐々に広がる前拡孔２４であることにより、螺子２６末端が歯孔２３内に容易に挿入固定できるよう誘導し、本体２１後端の縮頚２５は、使用者が長さが過度に長い螺子２６を誤って用いることを防止でき、連結装置１を貫通し突き合わせ接合部材１１を損壊させることを回避する。
【００１４】
上記のように、本考案の連結具２の２つの本体２１が同時に突き合わせ接合部材１１中に挿入することができ、角度を直接対応定位させ、螺子２６を合わせ、定位を接合固定し、組み立て効率を大幅に向上し、螺子２６が緩むことを回避し、使用者の使用により便利である。
【００１５】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１６】
１  連結装置
１１  突き合わせ接合部材
１１１  突き合わせ接合孔
１１２  貫通孔
１２  接続部材
１２１  接続孔
１２２  位置制限孔
２  連結具
２１  本体
２２  接続部材
２３  歯孔
２４  前拡孔
２５  縮頚
２６  螺子
Ａ  突き合わせ接合部材
Ａ１  突き合わせ接合孔
Ａ２  貫通孔
Ｂ  接続部材
Ｂ１  接続孔
Ｃ  固定部材
Ｃ１  歯孔
Ｃ２  位置制限溝
Ｄ  螺子
【図１】
0003179970.tif 000003
【図２】
0003179970.tif 000004
【図３】
0003179970.tif 000005
【図４】
0003179970.tif 000006
【図５】
0003179970.tif 000007
【図６】
0003179970.tif 000008
【図７】
0003179970.tif 000009
【図８】
0003179970.tif 000010
【図９】
0003179970.tif 000011
【図１０】
0003179970.tif 000012
【手続補正書】
【提出日】平成24年9月24日(2012.9.24)
【手続補正１】
【補正対象書類名】実用新案登録請求の範囲
【補正対象項目名】全文
【補正方法】変更
【補正の内容】
【実用新案登録請求の範囲】
【請求項１】
２つ以上の本体を間隔を置いて設置し、各本体内に螺子を挿入させることに用いる螺子孔を貫通設置し、且つ各本体の外部は、接続部材を利用し、相互に接続し、各本体の螺子孔方向を固定する連結具。
【請求項２】
前記螺子孔前端に螺子挿入を誘導することに用いる前拡孔を有する請求項１に記載の連結具。
【請求項３】
前記前拡孔は、螺子孔に接近する側から本体側表面に徐々に広がる請求項２に記載の連結具。
【請求項４】
前記螺子孔後端に螺子が貫通することを防止することに用いる縮頚を有する請求項１に記載の連結具。